(57)【要約】【課題】製造原価のコストダウンを図りつつ、ファンアウト補正量を増大させることができ、さらに、制御性及び使い勝手などを向上させることができる多色刷オフセット輪転機のファンアウト補正装置の提供を目的とする。【解決手段】ファンアウト補正装置１は、印刷ユニットのフレーム間に設けられたステー２０に、フレームの方向に向かって移動自在に設けられた複数のブラケット２と、このブラケット２に、ステーと並行に回転可能に設けられた偏心軸３と、この偏心軸３に回転可能に取り付けられた複数の調整ローラー４と、複数のブラケット２にそれぞれ設けられ、調整ローラー４の位置を変化させるために、偏心軸３を回転させる回転手段５とを備えた構成としてある。【選択図】  図１
2013103448.tif 000002
【特許請求の範囲】
【請求項１】
多色刷オフセット輪転機におけるファンアウト補正装置において、
前記多色刷オフセット輪転機における印刷ユニットのフレーム間に設けられたステーに、前記フレームの方向に向かって移動自在に設けられた複数のブラケットと、
このブラケットに、前記ステーと並行に回転可能に設けられた偏心部材と、
この偏心部材に回転可能に取り付けられた複数の調整ローラーと、
前記複数のブラケットにそれぞれ設けられ、前記調整ローラーの位置を変化させるために、前記偏心部材を回転させる回転手段と
を備えたことを特徴とする多色刷オフセット輪転機のファンアウト補正装置。
【請求項２】
前記偏心部材が、偏心軸であることを特徴とする請求項１に記載の多色刷オフセット輪転機のファンアウト補正装置。
【請求項３】
前記偏心部材が、偏心スリーブであることを特徴とする請求項１に記載の多色刷オフセット輪転機のファンアウト補正装置。
【請求項４】
前記調整ローラーは、ローラー幅中央部の径が両端部の径より大きな太鼓状の曲面を有することを特徴とする請求項１〜３のいずれか一項に記載の多色刷オフセット輪転機のファンアウト補正装置。
【請求項５】
前記ファンアウト補正装置が、走行紙の片面側に設置され、前記走行紙の反対面側であって、隣り合う前記調整ローラーの間に、ローラーを回転可能に設けたことを特徴とする請求項１〜４のいずれか一項に記載の多色刷オフセット輪転機のファンアウト補正装置。
【発明の詳細な説明】
【技術分野】
【０００１】
本発明は、多色刷オフセット輪転機のファンアウト補正装置に関し、特に、製造原価のコストダウンを図りつつ、ファンアウト補正量を増大させることができ、さらに、制御性及び使い勝手などを向上させることができる多色刷オフセット輪転機のファンアウト補正装置に関する。
【背景技術】
【０００２】
一般的に、両面印刷ユニットを複数並べた多色刷オフセット輪転機では、各印刷ユニット間の走行紙は空気中でフリーであることから、その間の距離の長さ、及びブランケットの紙送り特性や、オフセット印刷の湿し水の影響などによって、一色目の印刷ユニットから順次四色目の印刷ユニットへと送られるにしたがって走行紙の幅が広がる現象（ファンアウト現象と呼ばれる。）が発生する。
また、多色印刷におけるファンアウト現象によって、紙幅方向の位置による見当のズレが発生することから、調幅装置、分割版胴、Ｇスルーローラー、ピックローラー等により、ファンアウトの補正を行っている。
【０００３】
従来、本発明に関連する技術として、次のような技術が提案されている。
たとえば、特許文献１には、両面印刷ユニットを複数並べた多色刷オフセット輪転機に設けられ、印刷される走行紙を部分的に持ち上げて走行紙の調幅を行う調幅装置（ファンアウト補正装置とも呼ばれる。）の技術が開示されている。
この多色刷オフセット輪転機の調幅装置は、両面印刷ユニットの印刷胴の走行紙入口側に配置された支持軸と、この支持軸に適宜の間隔で複数取り付けられた支持体と、これらの支持体に回転自在に取り付けられ、かつ、支持軸の軸線から偏心した位置に偏心軸線を有する複数の偏心スリーブと、これら偏心スリーブに、偏心軸線を中心として回転するようにそれぞれ取り付けられた複数の短軸ローラ（調整ローラーとも呼ばれる。）と、支持体に支持され、偏心スリーブを任意の回転角度位置まで回転させる複数の回転手段とを備えた構成としてある。
【０００４】
また、特許文献２には、ウェブの幅方向に沿って設けられる複数の押圧部材を、走行するウェブにおける少なくとも一方面から押圧して波状にすることで、ウェブの幅方向における見当を調整する幅見当調整装置（ファンアウト補正装置とも呼ばれる。）の技術が開示されている。
この技術は、ウェブの幅方向における中央領域に配置される複数の押圧部材からなる第１調整ユニットと、該第１調整ユニットよりウェブの幅方向における外側領域に配置される一つ以上の押圧部材からなる第２調整ユニットと、第１調整ユニットと第２調整ユニットによりウェブの幅方向における中央領域の押圧量とウェブの幅方向における外側領域の押圧量とを異なる値に調整可能な調整手段と、を備えている。
【０００５】
また、特許文献３には、連続紙の両方面に対してそれぞれ複数の押付け部材を設け、連続紙の一方面に対する押付け部材と、連続紙の他方面に対する押付け部材を、連続紙の幅方向において互い違いの位置で走行する連続紙に接触させて、連続紙に、その走行方向と略平行な波打ちを形成することによって、該連続紙の幅を調整する速続紙幅調整装置（ファンアウト補正装置とも呼ばれる。）の技術が開示されている。
この技術は、略垂直方向に走行する連続紙の両方面それぞれの側に、連続紙に平行、かつ、連続紙の走行方向に直角な方向であって、その軸心の位置が移動しない取付け軸を設け、取付け軸に複数のブラケットが取付けられ、ブラケットには、取付け軸より径の小さい短軸（調整ローラーとも呼ばれる。）が設けられ、押付け部材は、短軸に取り付けられ、連続紙の走行に連れて回転可能に支持されている。
【０００６】
ところで、分割版胴方式を使用しない版胴による多色印刷機の場合、ファンアウト補正量が多くなり、分割版胴と併用の調整ローラーの総数による補正量を越える場合がある。  
また、多色印刷機械の各色の印刷間の走行紙長さは極力短くなるように設計されているものの、機械の据え付けスペースの問題や、特色の印刷装置の配置などにより、ある色の印刷と次の色の印刷の間の走行紙の長さが長い場合がある。この場合も、ファンアウト補正量が多くなり、従来の調整ローラーの総数による補正量を越える場合がある。
なお、このような状況に対応するには、調整ローラーの総数を多くすれば、ファンアウト補正量を増すことができる。
【先行技術文献】
【特許文献】
【０００７】
【特許文献１】特許第３７２０６３０号公報
【特許文献２】特開２０１１−２０８１１号公報
【特許文献３】特開２０１１−２５５５９号公報
【発明の概要】
【発明が解決しようとする課題】
【０００８】
しかしながら、上記の特許文献１に記載された技術は、走行紙の調幅をより正確に行って高い印刷品質の印刷物を得ることのできる技術ではあるものの、ファンアウト補正量を多くするために、単に調整ローラー（短軸ローラー）の総数を多くすれば、ローラーの押し引き機構や制御装置まで増えてしまい、小型化を図る必要があったり、製造原価のコストダウンを図ることができないといった問題があった。
また、調整ローラーの総数を多くした場合、制御性や、メンテナンスなどの使い勝手などを向上させることも要望されていた。
【０００９】
なお、特許文献２、３の技術は、本発明に関連する技術ではあるものの、制御性や、メンテナンスなどの使い勝手などを向上させるといった要望に応える必要があった。
【００１０】
本発明は、上記事情に鑑み提案されたものであり、製造原価のコストダウンを図りつつ、ファンアウト補正量を増大させることができ、さらに、制御性及び使い勝手などを向上させることができる多色刷オフセット輪転機のファンアウト補正装置の提供を目的とする。
【課題を解決するための手段】
【００１１】
上記目的を達成するため、本発明の多色刷オフセット輪転機のファンアウト補正装置は、印刷ユニットのフレーム間に設けられたステーに、フレームの方向に向かって移動自在に設けられた複数のブラケットと、このブラケットに、ステーと並行に回転可能に設けられた偏心部材と、この偏心部材に回転可能に取り付けられた複数の調整ローラーと、複数のブラケットにそれぞれ設けられ、調整ローラーの位置を変化させるために、偏心部材を回転させる回転手段とを備えた構成としてある。
【発明の効果】
【００１２】
本発明の多色刷オフセット輪転機のファンアウト補正装置によれば、製造原価のコストダウンを図りつつ、ファンアウト補正量を増大させることができ、さらに、制御性及び使い勝手などを向上させることができる。
【図面の簡単な説明】
【００１３】
【図１】図１は、本発明の実施形態に係るファンアウト補正装置を説明するための要部の概略斜視図を示している。
【図２】図２は、本発明の実施形態に係るファンアウト補正装置の補正ユニットを説明するための要部の概略拡大正面図を示している。
【図３】図３は、図２のＡ−Ａ矢視図を示している。
【図４】図４は、本発明の応用例に係るファンアウト補正装置を説明するための要部の概略斜視図を示している。
【図５】図５は、本発明の応用例のファンアウト補正装置の補正ユニットを説明するための要部の概略拡大平面図を示している。
【図６】図６は、図５のＢ−Ｂ矢視図を示している。
【発明を実施するための形態】
【００１４】
［実施形態］
図１は、本発明の実施形態に係るファンアウト補正装置を説明するための要部の概略斜視図を示している。
図１において、本実施形態の多色刷オフセット輪転機のファンアウト補正装置１（適宜、ファンアウト補正装置１と略称する。）は、多色刷オフセット輪転機（図示せず）に設けられており、ブラケット２、偏心軸３、調整ローラー４、回転手段５及び検出手段６などを備えた構成としてある。すなわち、ファンアウト補正装置１は、走行紙１１に調整ローラー４を押付け、その押付量により、ファンアウト補正量を制御する装置であり、複数の（本実施形態では四つの）補正ユニット１０を有している。各補正ユニット１０は、前記押付量を変化させ制御するための、調整ローラー４の押し引き手段（本実施形態では、偏心軸３及び回転手段５など）、制御手段（本実施形態では、検出手段６など）、及び、偏心軸３に取り付けられた複数個（本実施形態では、二個）の調整ローラー４などを有している。
なお、上記の多色刷オフセット輪転機は、たとえば、特許文献１に記載のアーチ型両面印刷ユニットを有する構成としてある。
【００１５】
（ブラケット）
図２は、本発明の実施形態に係るファンアウト補正装置の補正ユニットを説明するための要部の概略拡大正面図を示している。
また、図３は、図２のＡ−Ａ矢視図を示している。
図２、３において、ブラケット２は、ほぼ直方体状であり、背面板、底板及び一対の側板などを有しており、補正ユニット１０の筐体として機能する。なお、ブラケット２は、背面板と底板が一体的に形成され、これらに側板が螺着される構造としてあるが、この構造に限定されるものではない。
背面板は、二箇所に雌ねじ２１が切られており、この雌ねじ２１を利用して、ブラケット２は、ステー２０に螺着される。また、底板は、取り付けプレートを介して、モータ５１が取り付けられている。さらに、一対の側板は、それぞれブッシュ２２が埋設されており、駆動側の側板は、駆動側回転軸３２を軸支し、従動側の偏心軸３は、従動側回転軸３３を軸支する。
【００１６】
ここで、ブラケット２は、上述したように、ステー２０に螺着されているが、ステー２０は、多色刷オフセット輪転機における印刷ユニットのフレーム間に設けられており、本実施形態では、断面がＬ型であり（図１参照）、螺着するための長穴（図示せず）が形成されている。これにより、ブラケット２は、前記フレームの方向に向かって移動可能に、ステー２０の平面部分に取り付けられるので、調整ローラー４の位置調整などを容易に行うことができる。
なお、本実施形態では、ステー２０に長穴を形成してあるが、これに限定されるものではなく、たとえば、多数のボトル穴を穿設してもよい。また、図示してないが、リニアモータなどの往復移動手段を介してステー２０にブラケット２を取り付けてもよく、このようにすると、補正ユニット１０のフレームの方向の位置を、遠隔操作により制御することができる。
【００１７】
（偏心軸）
偏心軸３は、軸本体３１、駆動側回転軸３２及び従動側回転軸３３などを有しており、ブラケット２に、前記ステーと並行に回転可能に設けられた偏心部材として機能する。すなわち、本実施形態では、前記偏心部材として、偏心軸３を用いている。
軸本体３１は、両側にベアリング４１を介して調整ローラー４が回転可能に取り付けられており、さらに、ベアリング４１の外側に、ほぼ直方体状の凸部が形成されている。また、駆動側回転軸３２は、ブッシュ２２によって軸支されており、駆動側にタイミングプーリ５３が取り付けられ、従動側に、軸本体３１の凸部が嵌入される凹部が形成されており、凸部が嵌入した状態で、凸部が駆動側回転軸３２に螺着される。また、従動側回転軸３３は、ブッシュ２２によって軸支されており、従動側に、ポテンショメータの回転軸が取り付けられ、駆動側に、軸本体３１の凸部が嵌入される凹部が形成されており、凸部が嵌入した状態で、凸部が従動側回転軸３３に螺着される。
【００１８】
ここで、両端の凸部が螺着された軸本体３１の軸心は、駆動側回転軸３２及び従動側回転軸３３の軸心に対して、Δ／２だけ偏心している。これにより、回転手段５によってタイミングプーリ５３が回転すると、図３に示すように、調整ローラー４は、駆動側回転軸３２及び従動側回転軸３３の軸心の回りを公転し、距離Δの範囲で、正面側に移動したり背面側に移動したりすることができる。すなわち、偏心軸３及び回転手段５は、走行紙１１に対する調整ローラー４の押し引き手段として機能する。
また、偏心軸３は、両側に調整ローラー４を有しているので、上記の特許文献１の実施形態に記載された、一つの押し引き手段に一つの調整ローラーが取り付けられた場合と比べると、小型化及び省スペース化を実現でき、また、製造原価のコストダウンを図りつつ、調整ローラー４の数量を増やすことができ、ファンアウト補正量を増大させることができる。
【００１９】
（調整ローラー）  
調整ローラー４は、上述したように、軸本体３１に回転可能（自転可能）に取り付けられており、駆動側回転軸３２及び従動側回転軸３３の軸心の回りを公転することにより、距離Δの範囲で、正面側に移動したり背面側に移動したりする。
ここで、好ましくは、調整ローラー４は、該ローラー幅の中央部の径が両端部の径より大きなほぼ太鼓状の曲面を有するとよい。このようにすると、調整ローラー４が走行紙１１を押すと、ほぼ円筒状のローラー（図示せず）より、走行紙１１が効果的に波状になり、効率よく、かつ、走行紙１１にダメージを与えることなく、ファンアウト補正を行うことができる。
なお、本実施形態では、軸本体３１に二つの調整ローラー４を取り付けているが、これに限定されるものではなく、たとえば、三つ以上の調整ローラー４を取り付けてもよい。
【００２０】
（回転手段）
回転手段５は、モータ５１、タイミングプーリ５２、タイミングプーリ５３、及び、タイミングベルト５４などを有しており、複数のブラケット２にそれぞれ設けられ、調整ローラー４の位置を変化させるために、偏心軸３を回転させる。
モータ５１は、サーボモータ等の角度制御可能なモータであり、多色刷オフセット輪転機や印刷ユニットの制御手段（図示せず）からの制御信号により作動する。このモータ５１は、主軸に取り付けられたタイミングプーリ５２、タイミングベルト５４及びタイミングプーリ５３を介して、駆動側回転軸３２を回転させる。
【００２１】
（検出手段）
検出手段６は、ポテンショメータとしてあり、調整ローラー４の回転位置を検出し、多色刷オフセット輪転機や印刷ユニットの制御手段（図示せず）に検出信号を出力する。
なお、上記の制御手段は、印刷ユニットを通過した後の走行紙１１の拡幅量（ファンアウト量）を計測する拡幅量計測手段（たとえば、印刷基準ポイントを撮像するカメラなど）からの信号を入力し、適正にファンアウト補正を行うことができるように、検出手段６からの検出信号にもとづいて、制御信号をモータ５１に出力する（上記の特許文献１参照）。
【００２２】
（ローラー）
また、ファンアウト補正装置１は、図１に示すように、走行紙１１の片面側（背面側）に設置され、走行紙１１の反対面側（正面側）であって、調整ローラー４のピッチの中間に（合計８箇所に）、ローラー７を回転可能に設けてある。
ローラー７は、ほぼ調整ローラー４と同様な形状を有しており、図示してないが、ベアリングを介して取付用スリーブに回転可能に設けられている。この取付用スリーブは、多色刷オフセット輪転機における印刷ユニットのフレーム間に設けられた支持棒７１に、前記フレームの方向に向かって移動可能に取り付けられており、ローラー７の位置調整などを容易に行うことができる。
このように、ローラー７を設けることにより、走行紙１１は、調整ローラー４とローラー７とによって、交互に逆方向に押されることができ、より効果的に波状となるので、ファンアウト補正量を増大させることができる。
【００２３】
なお、本実施形態では、ファンアウト補正装置１がローラー７を有する構成としてあるが、これに限定されるものではなく、たとえば、図示してないが、走行紙１１に対し、片面側のみにファンアウト補正装置１を設置してもよい（すなわち、図１において、ローラー７及び支持棒７１を設けない構成としてもよい。）。
また、走行紙１１の両面側にファンアウト補正装置１を設置してもよい（すなわち、図１において、ローラー７及び支持棒７１の代わりに、一対のファンアウト補正装置１を対向させるように設ける構成としてもよい。）。
また、上記の構成のうち、いずれを選択するかは、要求されるファンアウト補正量によって選択され、ファンアウト補正量は、片面側のみにファンアウト補正装置１を設置する場合より本実施形態の方が多くなり、また、本実施形態より両面側にファンアウト補正装置１を設置する方が多くなる。
【００２４】
上記構成のファンアウト補正装置１によれば、二つの調整ローラー４を有する補正ユニット１０を、四箇所に配設する構成としてあり、各補正ユニット１０は、二つの調整ローラー４が、ブラケット２、偏心軸３、回転手段５及び検出手段６を共用しているので、小型化及び省スペース化を実現でき、また、製造原価のコストダウンを図りつつ、調整ローラー４の数量を増やすことができ、ファンアウト補正量を増大させることができる。
また、ファンアウト量は、走行紙１１の幅方向の中央部を基準として、両端部に近づくに従い規則性を持って多くなる。したがって、数を増した調整ローラー４を単独ではなく、所定の数量（本実施形態では、二個）を一つのグループとして、それぞれのグループごとに（すなわち、補正ユニット１０ごとに）走行紙１１の幅方向の押し量を制御することで、ファンアウトの補正を効果的に行うことができる。
【００２５】
また、本実施形態のファンアウト補正装置１は、補正ユニット１０が、前記フレームの方向に向かって移動可能に、ステー２０の平面部分に取り付けられるので、調整ローラー４の位置調整などを容易に行うことができ、また、メンテナンスなどを容易に行うことができる。
なお、本実施形態では、ファンアウト補正装置１が、四つの補正ユニット１０を有し、補正ユニット１０が二つの調整ローラー４を有する構成としてあるが、これに限定されるものではなく、たとえば、三つ、あるいは、五つ以上の補正ユニット１０を有する構成としてもよい。
【００２６】
以上説明したように、本実施形態のファンアウト補正装置１によれば、製造原価のコストダウンを図りつつ、ファンアウト補正量を増大させることができる。
また、走行紙１１に接触する調整ローラー４の数を増やすことができるので、印刷後の走行紙１１の汚れを抑制することができ、印刷品質をも向上させることができる。
また、本実施形態は、様々な応用例を有している。
次に、本実施形態の応用例について、図面を参照して説明する。
【００２７】
＜応用例＞
図４は、本発明の応用例に係るファンアウト補正装置を説明するための要部の概略斜視図を示している。
また、図５は、本発明の応用例のファンアウト補正装置の補正ユニットを説明するための要部の概略拡大平面図を示している。
さらに、図６は、図５のＢ−Ｂ矢視図を示している。
図４、５、６において、本応用例のファンアウト補正装置１ａは、上述したファンアウト補正装置１と比べると、偏心部材としての偏心軸３の代わりに、偏心スリーブ３ａを有する点などが相違する。なお、本応用例の他の構成は、ファンアウト補正装置１とほぼ同様としてある。
したがって、図４、５、６において、図１、２、３と同様の構成部分については同一の符号を付して、その詳細な説明を省略する。
【００２８】
（ブラケット）
ブラケット２ａは、ほぼ直方体状であり、一体的に形成された駆動側の側板及び背面板、並びに、従動側の側板などを有しており、補正ユニット１０ａの筐体として機能する。
従動側の側板は、支持棒２０ａが貫入される貫通孔が形成されており、図示してないが、支持棒２０ａが貫入される円筒部に雌ねじが切られており、この雌ねじに止めボルトが締め込まれることにより、ステーとしての支持棒２０ａにブラケット２ａが取り付けられる。また、一対の側板は、それぞれベアリング２２ａが埋設されており、偏心スリーブ３ａを軸支する。さらに、駆動側の側板は、支持棒２０ａが貫入される貫通孔が形成されている。
ここで、ブラケット２ａは、上述したように、支持棒２０ａに螺着されており、支持棒２０ａは、多色刷オフセット輪転機における印刷ユニットのフレーム間に設けられている。すなわち、ブラケット２ａは、前記フレームの方向に向かって移動可能に取り付けられるので、調整ローラー４ａの位置調整などを容易に行うことができる。
【００２９】
（偏心スリーブ）
偏心スリーブ３ａは、ブラケット２ａに、前記ステーと並行に回転可能に設けられた偏心部材として機能する。すなわち、本応用例では、前記偏心部材として、偏心スリーブ３ａを用いている。
偏心スリーブ３ａは、支持棒２０ａが貫入される円筒状としてあり、従動側端の円筒部が、ベアリング２２ａを介してブラケット２ａの従動側側板に軸支されている。また、駆動側端の円筒部が、ベアリング２２ａを介してブラケット２ａの駆動側側板に軸支されており、中央側にはす歯歯車５３ａが螺着されている。
【００３０】
ここで、偏心スリーブ３ａの中央部の軸心は、従動側端の円筒部及び駆動側端の円筒部の軸心に対して、Δ／２だけ偏心している。これにより、回転手段５ａによってはす歯歯車５３ａが回転すると、図６に示すように、調整ローラー４ａは、従動側端の円筒部及び駆動側端の円筒部の軸心の回りを公転し、距離Δの範囲で、正面側に移動したり背面側に移動したりすることができる。すなわち、偏心スリーブ３ａ及び回転手段５ａは、走行紙１１に対する調整ローラー４ａの押し引き手段として機能する。
また、偏心スリーブ３ａは、中央部の両側に調整ローラー４ａを有しているので、上記の特許文献１の実施形態に記載された、一つの押し引き手段に一つの調整ローラーが取り付けられた場合と比べると、小型化及び省スペース化を実現でき、また、製造原価のコストダウンを図りつつ、調整ローラー４ａの数量を増やすことができ、ファンアウト補正量を増大させることができる。
【００３１】
（調整ローラー）  
調整ローラー４ａは、上述したように、偏心スリーブ３ａに回転可能（自転可能）に取り付けられており、従動側端の円筒部及び駆動側端の円筒部の軸心の回りを公転することにより、距離Δの範囲で、正面側に移動したり背面側に移動したりする。
ここで、好ましくは、調整ローラー４ａは、該ローラー幅の中央部の径が両端部の径より大きなほぼ太鼓状の曲面を有するとよい。このようにすると、調整ローラー４ａが走行紙１１を押すと、ほぼ円筒状のローラー（図示せず）より、走行紙１１が効果的に波状になり、効率よく、かつ、走行紙１１にダメージを与えることなく、ファンアウト補正を行うことができる。
【００３２】
（回転手段）
回転手段５ａは、モータ５１ａ、ねじ歯車５２ａ及びはす歯歯車５３ａなどを有しており、複数のブラケット２ａにそれぞれ設けられ、調整ローラー４ａの位置を変化させるために、偏心スリーブ３ａを回転させる。なお、ねじ歯車５２ａ及びはす歯歯車５３ａは、ウォームギアとして機能する。
モータ５１ａは、サーボモータ等の角度制御可能なモータであり、多色刷オフセット輪転機や印刷ユニットの制御手段（図示せず）からの制御信号により作動する。このモータ５１ａは、カップリングを介して主軸と連結されたねじ歯車５２ａ及びはす歯歯車５３ａを介して、偏心スリーブ３ａを回転させる。
なお、ファンアウト補正装置１ａは、図示してないが、偏心スリーブ３ａの従動側に、調整ローラー４の回転位置を検出し、多色刷オフセット輪転機や印刷ユニットの制御手段に検出信号を出力する検出手段（特許文献１参照）を有している。
また、他の構成などは、上記のファンアウト補正装置１とほぼ同様としてある。
【００３３】
このように、本応用例のファンアウト補正装置１ａは、偏心軸３の代わりに偏心スリーブ３ａを有する構成としてあるが、実施形態のファンアウト補正装置１とほぼ同様の効果を奏することができる。
【００３４】
以上、本発明の多色刷オフセット輪転機のファンアウト補正装置について、好ましい実施形態などを示して説明したが、本発明に係る多色刷オフセット輪転機のファンアウト補正装置は、上述した実施形態などにのみ限定されるものではなく、本発明の範囲で種々の変更実施が可能であることは言うまでもない。
【符号の説明】
【００３５】
１、１ａ  ファンアウト補正装置
２、２ａ  ブラケット  
３  偏心軸  
３ａ  偏心スリーブ
４、４ａ  調整ローラー  
５、５ａ  回転手段  
６  検出手段
７  ローラー
１０、１０ａ  補正ユニット
１１  走行紙  
２０  ステー
２０ａ  支持棒
２１  雌ねじ  
２２  ブッシュ  
２２ａ  ベアリング
３１  軸本体  
３２  駆動側回転軸  
３３  従動側回転軸  
４１、４１ａ  ベアリング  
５１、５１ａ  モータ
５２  タイミングプーリ
５２ａ  ねじ歯車
５３  タイミングプーリ
５３ａ  はす歯歯車
７１  支持棒
【図１】
2013103448.tif 000003
【図２】
2013103448.tif 000004
【図３】
2013103448.tif 000005
【図４】
2013103448.tif 000006
【図５】
2013103448.tif 000007
【図６】
2013103448.tif 000008